(57)【要約】【課題】低温環境下での磁気ヘッド素子収縮に伴う記録開始直後の記録性能劣化を抑制し、環境温度によらず安定した記録性能を保証する磁気記録装置を提供する。【解決手段】上位装置から第１のデータの記録命令を受領した後、情報を記録するデータ領域と同一のトラックに既に記録された第２のデータを読み出してメモリに格納し、前記トラックのデータ領域上で疑似データを記録後、前記メモリに格納された前記第１データと第２のデータとを記録することにより、低温での安定動作が要求されるカーナビ等の磁気ディスク装置を安価に提供することが可能となる。【選択図】図１
2004110918.tif 000002
【特許請求の範囲】
【請求項１】
励磁コイルを備えた磁気ヘッドと、磁気記録媒体とを備え、上位装置からの記録命令と記録データとを受領する端子と、ヘッドアンプとを有し、
前記ヘッドアンプは、前記記録データを受領後、前記磁気ヘッドが該データの記録を開始する前に、前記励磁コイルに電流を流すことを特徴とする磁気記録装置。
【請求項２】
励磁コイルを備えた磁気ヘッドと、磁気記録媒体と、ライトゲートを備えたヘッドアンプと、上位装置からの信号を受領する端子と、該端子に接続されたハードディスクコントローラと、アクチュエータとを有し、
前記アクチュエータは、前記端子が上位装置からの記録命令を受領後に、前記ハードディスクコントローラによって指定される記録媒体上のトラックへ前記磁気ヘッドを移動し、
前記ヘッドアンプは、前記磁気ヘッドの移動後、前記記録データが記録されるセクタアドレスに該磁気ヘッドが記録動作を開始する前に、前記ライトゲートを開くことを特徴とする磁気記録装置。
【請求項３】
励磁コイルを備えた磁気ヘッドと、磁気記録媒体と、上位装置からの信号を受領する端子と、該端子に接続されたハードディスクコントローラと、アクチュエータとを有し、
前記アクチュエータは、前記端子が上位装置からの記録命令を受領後に、前記ハードディスクコントローラによって指定される記録媒体上のトラックへ、前記磁気ヘッドを移動し、
前記励磁コイルには、前記磁気ヘッドの移動後、前記記録データが記録されるセクタアドレスに到達する前に、記録電流が到達していることを特徴とする磁気記録装置。
【請求項４】
請求項１に記載の磁気記録装置において、温度計測手段を備え、前記ヘッドアンプは、該温度計測手段により観測された温度が所定値以下の場合には、前記記録データを受領後、前記磁気ヘッドが該データの記録を開始する前に、前記磁気ヘッドの励磁コイルに電流を流すことを特徴とする磁気記録装置。
【請求項５】
請求項４に記載の磁気記録装置において、前記温度計測手段により計測された温度が所定値より大きい場合には、前記ヘッドアンプは、前記磁気ヘッドが前記記録データが記録されるセクタアドレスに到達した時に前記励磁コイルに記録電流が到達しているタイミングで、前記励磁コイルに対し電流を流すことを特徴とする磁気記録装置。
【請求項６】
請求項４に記載の磁気記録装置において、ヘッドアンプを備え、前記温度計測手段により計測された温度に応じて、該ヘッドアンプから励磁コイルに伝送する記録電流強度を変えることを特徴とする磁気記録装置。
【請求項７】
請求項１に記載の磁気記録装置において、計時手段を備え、前記磁気記録媒体への書き込みが、所定時間以上行われなかった場合、前記ヘッドアンプは、前記記録データを受領後、前記磁気ヘッドが該データの記録を開始する前に、前記磁気ヘッドの励磁コイルに電流を流すことを特徴とする磁気記録装置。
【請求項８】
記録素子を備えた磁気ヘッドと、磁気記録媒体と、ヘッドアンプと、上位装置からの信号を受領する端子とを有し、
前記ヘッドアンプは、前記端子が前記上位装置からの記録命令を受領した後に、前記上位装置からの記録データに疑似データを付加した記録電流を生成し、前記記録素子に送信することを特徴とする磁気記録装置。
【請求項９】
磁気記録媒体と、該磁気記録媒体へ情報を記録する手段と、該記録手段に記録電流を送信する手段と、上位装置からの信号を受領する手段と、該端子からの信号を受領し、更に前記記録電流の送信手段を制御する手段とを有し、
前記送信手段は、前記信号受領手段が上位装置からの記録命令を受領した後に、前記信号受領手段で受領した上位装置からの記録データと、疑似データとに対応する記録電流を生成し、前記記録手段に送信することを特徴とする磁気記録装置。
【請求項１０】
請求項８に記載の磁気記録装置において、前記疑似データのみが記録されるダミートラックを備えたことを特徴とする磁気記録装置。
【請求項１１】
請求項８に記載の磁気記録装置において、温度計測手段を備え、前記ヘッドアンプは、該温度計測手段により観測された温度が所定値以下の場合には、記録データに疑似データを付加した記録電流を生成することを特徴とする磁気記録装置。
【請求項１２】
請求項８に記載の磁気記録装置において、温度計測手段と、ヘッドアンプと備え、該温度計測手段により計測された温度に応じて、該ヘッドアンプから励磁コイルに伝送する記録電流強度を変えることを特徴とする磁気記録装置。
【請求項１３】
請求項８に記載の磁気記録装置において、計時手段を備え、前記磁気記録媒体への書き込みが、所定期間以上行われなかった場合、前記ヘッドアンプは、該温度計測手段により観測された温度が所定値以下の場合には、記録データに疑似データを付加した記録電流を生成することを特徴とする磁気記録装置。
【請求項１４】
請求項８に記載の磁気記録装置において、前記疑似データが記録されるデータセクタに記録されていたデータを格納するメモリを備えたことを特徴とする磁気記録装置。
【請求項１５】
請求項１４に記載の磁気記録装置において、前記メモリが不揮発性メモリであることを特徴とする磁気記録装置。
【請求項１６】
請求項８に記載の磁気記録装置において、ハードディスクコントローラを備え、
該ハードディスクコントローラは、前記記録電流を励磁コイルへ送信する前に、前記疑似データが記録されるセクタアドレスに記録されているデータを磁気ヘッドにより読み出し、
該読み出したデータを前記メモリに格納し、
前記記録データに疑似データが付加された情報が記録媒体に記録された後、前記メモリに格納された情報を、読み出す前と同一のセクタアドレスに記録することを特徴とする磁気記録装置。
【請求項１７】
励磁コイルを有する磁気ヘッドと、磁気記録媒体と、上位装置とのデータ伝送手段と、ヘッドアンプとを備えた磁気記録装置の記録制御方法において、
上位機種から記録命令と記録データとを受領するステップと、
該記録命令の受領後、該データに対応する記録電流を前記磁気ヘッドに伝送する前に、前記磁気ヘッドの励磁コイルに電流を流すステップとを含むことを特徴とする磁気記録装置の制御方法。
【請求項１８】
励磁コイルを備えた磁気ヘッドと、磁気記録媒体と、ライトゲートを備えたヘッドアンプと、上位装置からの信号を受領する端子と、ハードディスクコントローラと、アクチュエータとを有する磁気記録装置の記録制御方法において、
上位装置から送信された記録データとを受領するステップと、
前記磁気ヘッドを、前記ハードディスクコントローラによって指定される記録媒体上のトラックへ移動するステップと、
前記磁気ヘッドが前記トラックへ移動した後、前記記録データに対応する記録電流波形が磁気ヘッドに到達している前に、前記ライトゲートを開くステップとを含む磁気記録装置の記録制御方法。
【請求項１９】
請求項１７に記載の磁気記録装置の制御方法において、
磁気記録装置の設置場所の温度を測定するステップを有し、
該測定された温度が所定値よりも低い場合は、該温度計測手段により観測された温度が所定値以下の場合には、請求項１５に記載の各ステップ実行することを特徴とする磁気記録装置の制御方法。
【請求項２０】
請求項１７に記載の磁気記録装置の制御方法において、
前回記録動作が実行された時刻と、現在の時刻との時間差を計測するステップを有し、該時間差が所定値より大きい場合には、請求項１５に記載の各ステップ実行することを特徴とする磁気記録装置の制御方法。
【請求項２１】
磁気ヘッドと、磁気記録媒体と、上位装置とのデータ伝送手段と、ヘッドアンプとを備えた磁気記録装置の記録制御方法において、
上位機種から記録命令と記録データとを受領するステップと、
前記ヘッドアンプで、前記記録データと疑似データとに対応した信号電流を生成するステップと、
前記磁気ヘッドに前記信号電流を伝送するステップとを含むことを特徴とする磁気記録装置の記録制御方法。
【請求項２２】
請求項２１に記載の磁気記録装置の記録制御方法において、
前記記録装置の設置場所の温度を測定するステップを有し、前記温度が所定値よりも低い場合は、前記記録データに疑似データを付加した信号電流を生成するステップを実行することを特徴とする磁気記録装置の記録制御方法。
【請求項２３】
請求項２１に記載の磁気記録装置の記録制御方法において、
前回記録動作を行った時刻と今回上位装置から記録命令を受けた時刻との時間差を計測するステップを含み、該時間差が所定値よりも大きい場合には、前記記録データと疑似データとに対応した信号電流を生成するステップを実行することを特徴とする磁気記録装置の記録制御方法。
【請求項２４】
請求項２１に記載の磁気記録装置の記録制御方法において、
前記疑似データが記録されるデータセクタに既に記録されているデータをメモリに格納するステップを含むことを特徴とする磁気記録装置の制御方法。
【請求項２５】
データトラックと疑似データトラックを有する磁気記録媒体と、磁気ヘッドと、上位装置とのデータ伝送手段と、ヘッドアンプとを備えた磁気記録装置の記録制御方法において、
上位機種から記録命令と記録データとを受領するステップと、
前記ヘッドアンプで、疑似データの信号電流を生成するステップと、
前記磁気ヘッドを前記疑似データトラックに移動するステップと、
疑似データを疑似データトラックへ記録するステップと、
前記データトラックに前記磁気ヘッドを移動するステップと、
前記ヘッドアンプで、前記記録データの信号電流を生成するステップと、
前記磁気ヘッドを前記データトラックに移動するステップと、
前記記録データを前記データトラックへ記録するステップとを有することを特徴とする磁気記録装置の記録制御方法。
【発明の詳細な説明】
【０００１】
【発明の属する技術分野】
本発明は、磁気ヘッドと磁気記録媒体を備えた磁気記録装置に係り、特に、例えば０℃以下の低温環境下において使用される磁気記録装置およびその記録制御方式に関わる。
【０００２】
【従来の技術】
近年、磁気ディスク装置等の磁気記録装置は、その単位情報あたりのコストに優れている点から、コンピュータの外部記憶装置としての用途以外に、情報機器全体の記憶装置として広く用いられるようになっている。特に可搬型情報機器やカーナビゲーションシステム等の記憶装置としての需要が伸び、磁気ディスク装置の使用環境温度の範囲が著しく広がっており、広い温度範囲で安定した記録、再生動作を行うことができる磁気ディスク装置が要求されている。
【０００３】
磁気ディスク装置において、ディスクはサーボ領域とデータ領域とが円周方向に交互に配置された同心円状の複数の記録トラックを備える。磁気記録装置に接続された上位装置からデータの記録、再生の命令を受領したとき、データの記録再生を行うための磁気ヘッドを支持する位置決め機構は、サーボ領域上に予め記録されたサーボ情報に基づいて制御され、これによって、記録、または再生を行うデータ領域のあるトラックに磁気ヘッドを移動する。
【０００４】
記録の場合、磁気ヘッドの記録素子から磁界を発生させて目的のデータ領域上の記録媒体を磁化し、その磁化の方向を交互に変えることにより情報の記録を行う。また、再生の場合、前記記録媒体の磁化から媒体表面に発生する磁界を、例えば巨大磁気抵抗効果素子などを備えた再生素子により検知し、この磁界の変化をデジタル情報に変換して記録された情報の読み出しを行う。ここで、前記磁気ヘッドを搭載したヘッドスライダは、ディスクの回転によって自らとの間で発生する空気流の動圧によって、所要の浮上量でディスク上を相対走行する役割を担う。
【０００５】
浮上量が大きすぎる場合、磁気ヘッドと記録媒体との距離が大きくなり、記録素子から十分な磁界を記録媒体に印加することができず、さらに媒体の表面近傍の記録磁界を再生素子によって検出することが困難となるため、記録再生能力が著しく劣化する。一方、浮上量が小さすぎる場合、装置内の塵埃やディスク表面の突起が磁気ヘッドに接触し、摩擦によってヘッド素子やディスクを破壊する可能性が高くなる。以上を鑑み、流体力学効果によりヘッドスライダの浮上量が最適となるように、ヘッドスライダの媒体対向面（ＡＢＳ面）に凹凸加工が施されており、ヘッドスライダは同一の気圧、同一の相対速度において一定の浮上量でディスク上を相対走行する。
【０００６】
【発明が解決しようとする課題】
磁気ヘッドを構成する金属材料や絶縁材料は環境温度によって膨張、収縮する。特に低温環境下において、前記材料が収縮することによって記録素子のＡＢＳ面側の先端がヘッドスライダのＡＢＳ面から引っ込むため、ヘッドスライダの浮上量が一定であっても、媒体表面から記録素子までの距離が大きくなり、記録能力が劣化する。記録動作時、記録素子に備えられた励磁コイルに電流を印加したときに発生する熱によって前記材料が膨張し、媒体表面と記録素子との距離が徐々に小さくなるが、特に、例えば０℃以下の低温環境下において記録動作開始時の記録性能劣化によってエラーが発生するという問題があった。
【０００７】
低温環境下における記録性能劣化を改善する技術として、例えば特開平５−２５８２１５公報に開示されているように、低温環境時に記録電流を大きくし、記録磁界強度を強めて記録能力を高くするものがあるが、単に記録電流を大きくしただけでは記録素子の磁極が飽和し、記録磁界を増加することができず、記録能力が改善されないという問題があった。
【０００８】
本発明では、磁気記録装置において、低温環境下でのヘッド素子収縮に伴う記録開始後の記録性能劣化を抑制し、環境温度によらず安定した記録性能を保証する磁気記録装置を提供することを目的とする。
【０００９】
【課題を解決するための手段】
本発明の磁気記録装置は、磁気記録装置に接続した上位装置からデータの記録命令を受領した後、データを媒体に記録する直前のある期間、磁気ヘッドの励磁コイルに記録電流を流すことを特徴とする。この場合、本来の記録データに相当する記録電流以外の電流もコイルに流れることになるので、記録媒体のデータ領域上にすでにデータが記録されている場合、本来の記録データ以外の記録電流に相当する情報（以後、疑似データと称する）によって、データ領域が上書きされ、情報が失われてしまう。
【００１０】
そこで、疑似データにより情報が失われないような仕組みを設ける。例えば、後述の本発明第１の実施例では、擬似データを記録するデータ領域に既に記録された情報を読み出してメモリに格納し、擬似データを記録後、前記メモリに格納された既存のデータと外部からのデータとを記録することを特徴とする。また、後述の本発明第２の実施例では、予め設けられたダミーライトトラック上で疑似データの記録を行った後、記録するトラックにシークしてデータを記録することを特徴とする。
【００１１】
なお、本発明のダミーライトに類似の技術として、磁気ヘッド再生素子の不良に起因する読み出しエラーが発生した時、再生素子回復を目的として、ダミーライトトラックに擬似データを記録する技術がある。しかしながら、当該ダミーライトは本発明とは異なり、再生動作の一部として、つまり上位装置からデータの読み出し命令を受領した際に用いられる技術である。本発明では、ダミーライトは、上位装置からの記録命令を受領した後、つまり記録動作の一部として行われることを特徴とする。
【００１２】
【発明の実施の形態】
（実施例１）
以下、図面を参照して本発明を磁気ディスク装置に適用した場合の実施の形態について説明する。図１は第１の実施例の記録動作のフローチャートを示す。図２は該実施例の磁気ディスク装置の構成図を示している。図３は、図２に示す磁気ディスク装置１００のディスク１１表面に設けられたデータ領域とサーボ領域を説明する図である。
【００１３】
磁気ディスク１１はスピンドルモータ（ＳＰＭ）１３１によって回転する。記録、再生時にはアーム１２３によってボイスコイルモータ（ＶＣＭ）１３３に固定され、磁気ヘッド１２１を搭載したヘッドスライダ１２２がディスク１１上を浮上しながら相対走行する。ディスク１１の表面には数千から数万の記録トラック１１１が同心円状に存在し、さらに各々のトラック１１１上には円周方向にサーボ領域１１３とデータ領域１１２が交互に存在する。サーボ領域１１３には予めサーボ情報が記録されており、このサーボ情報を磁気ヘッド１２１の再生素子（図示せず）で読み出し、サーボ処理回路１４５でヘッド１２１の半径位置情報を計算して、ボイスコイルモータ（ＶＣＭ）１３３によって磁気ヘッド１２１をディスク半径方向に回転移動し、記録、再生を行う記録トラック１１１にシークする。
【００１４】
データ領域１１２はさらに、例えば５１２バイト単位のセクタ１１４に分けられ、セクタ単位で記録したデータの位置情報を管理する。磁気ヘッド１２１には、記録素子として励磁コイルと記録磁極が形成されており、ヘッドアンプ１４２から伝送される記録電流波形により記録磁界を誘起し、磁気ディスク１１への記録動作を行う。上位装置からの記録／再生命令は、端子１６１を介して、装置に受領される。
【００１５】
図４には、データと疑似データの関係を示した。１１１がトラックを、１１７が上位装置から送られてきた記録データが記録されるデータ領域、１１５が疑似データが記録される記録領域、１１６が疑似データにより上書きされたデータ領域を示す。なお、記録動作が完了する前の段階では、図４の疑似データ領域１１５，記録データ領域１１７はいずれも未記入の状態である。
【００１６】
磁気ディスク装置１００が上位装置２００より書込み命令を受領した後、記録するデータ１１７を第１のメモリ１４６に格納する。次に、ヘッド１２１を、データ１１７を記録するセクタ１１４のあるトラック１１１にシークする。ＣＰＵ１４１は、疑似データ領域１１５に、既に記録されたデータ領域１１６が存在しているかいないか判断する。
【００１７】
データ１１６が格納されていなければ、疑似データの記録動作はそのまま実行され、擬似データ記録領域１１５に既に記録されたデータ１１６が存在する場合は、データ１１６を読みだして、第２のメモリ１４７に格納する。第２のメモリ１４７は第１のメモリ１４６と同一にしても良い。
【００１８】
また、第２のメモリ１４７に、フラッシュメモリ等の不揮発性メモリを用いることで、データ書き込み動作中の不慮の電源停止におけるデータ消失を防ぐことができる。前記既存データ１１６がすべて読み込まれた後、擬似データ記録領域１１５内のセクタ（図示せず）において擬似データを記録する。擬似データパターンは、予めＲＯＭ（図示せず）あるいは第１のメモリ１４６等の記憶素子に登録され、ハードディスクコントローラ１４４を介して記録データと同様にＲ／Ｗ回路１４３に転送され、該データパターンに対応した記録電流がヘッドアンプ１４２よりヘッド１２１に供給される。
【００１９】
擬似データ領域１１５の大きさは、擬似データの書き込みによるヘッド１２１の昇温により、ヘッド素子が膨張して書き込み能力が回復するのに必要な時間と、磁気ヘッド−ディスク間の相対速度によって決定する。図５に、環境温度０℃における、磁気ディスク装置のオーバーライト特性の記録時間依存性を示す。
【００２０】
約２ｍｓでオーバーライト値は低く安定し、記録能力が回復していることを表している。よって環境温度０℃の場合には、約２ｍｓ疑似データを記録することによって十分な効果が得られる。環境温度が０℃よりも低い場合は、擬似データの記録電流を大きくするか、疑似データ長を更に大きくし、電流を励磁コイルに流す時間を増やす必要がある。擬似データは任意のパターンでよいが、記録電流の反転周期が短い方が短時間でヘッド温度が上昇する。さらに擬似データはトラック１１１上の任意のセクタにおいて書き込んでよいが、連続したセクタに記録を行うことにより短時間でヘッド温度が上昇し、より短時間で記録能力を改善できる。
【００２１】
本実施例の磁気ディスク装置は、筐体内部に温度センサを備えており、ディスク装置の設置場所の温度をモニタすることができる。ＣＰＵ１４１は、温度センサで測定された温度情報を受け取り、励磁コイルに流す電流値、擬似データパターンおよび擬似データ長を計算する。疑似データパターンおよび電流値はその都度計算しても良いが、ＣＰＵ内部のレジスタ、ラッチないしメモリ１４６、１４７等の記憶素子に、温度と疑似データ用の電流値およびデータパターンとの対応テーブルを予め格納しておき、温度センサから得られる情報に応じて、最適な電流値、波形パターンを選択するようにしても良い。
【００２２】
更に、測温手段として、筐体内部の温度センサではなく、上位装置に設けられた温度センサを用いる場合も考えられる。そのような場合には、端子１６１とＣＰＵ１４１間に温度情報を伝達するための伝送線を設け（図中の点線）、端子１６１のピンの一部を温度情報伝達のための端子として用いる。或いは、測温データを伝達するための別な端子を設けても良い。
【００２３】
生成された疑似データはヘッドアンプ１４２に送られる。ヘッドアンプ１４２は、Ｒ／Ｗ回路から送られてくるタイミング情報に応じてライトゲートをオープンし、磁気ヘッド１２１内に形成された励磁コイルに記録電流波形を流す。これにより、記録磁極に記録磁界が発生する。
【００２４】
擬似データの記録が完了したあと、メモリ１４６に格納された外部からのデータ１１７およびメモリ１４７に記録された既存データ１１６をトラック１１１上のセクタ（図示せず）に記録する。記録データが記録されるべきセクタアドレスは、ハードディスクコントローラにより指定され、新規データ記録セクタに新規データ１１７を、既存データ記録セクタに既存データ１１６を、それぞれ記録する。ここで前記既存データ１１６はトラック１１１上のデータが書き込まれていない任意のセクタに書き込んでよいが、擬似データの書き込み前と同一のセクタ上に書き込むことにより、記録位置情報の更新の必要がなくなる。前記新規データ１１７および既存データ１１６をすべて書き込んだ後、書き込み終了情報を上位装置２００に送信し、書き込み動作を終了する。
【００２５】
図８には、本発明の記録動作におけるライトゲート信号および記録電流のタイムチャートを、従来技術と対比して示した。ここで、図８の横軸は時間、縦軸は信号振幅を表す。本発明が応用されるライトゲート信号と記録電流のタイムチャートにおいては、上位装置からの記録命令受領後、目的のトラックへのシーク動作終了後に、既存データの読み出しステップと、疑似データの記録ステップが実行される点で、従来技術とは大きく異なっていることが分かる。
【００２６】
なお、以上図１〜図４、図８を用いて説明した動作プロセスでは、疑似データと既存データ１１６、および新規データ１１７とを、それぞれ別々にＲ／Ｗ　回路に送っているが、疑似データと記録データはまとめてヘッドアンプに伝送しても構わない。
【００２７】
また、本実施例の疑似データの記録動作は、磁気記録装置の設置場所の温度が高い（例えば、常温程度）場合は行わなくとも良い。従って、疑似データの記録を含む記録モードと、含まない通常モードの２つの記録動作モードをシーケンスとして用意しておき、測定された温度に応じて２つの動作モードを切り替えても良い。上記２つの記録動作シーケンスは、ＣＰＵ１４１またはハードディスクコントローラ１４４、ないし別の不揮発性メモリに格納することができる。この場合、上位装置から記録コマンドを受領した後、測温結果に応じて、疑似データの記録を行うか否か、ＣＰＵ１４１で判定することになる。
【００２８】
このように、環境温度計測手段を設け、ある環境温度を下回る時のみ本発明の擬似データ記録を行うことにより、毎回の記録動作毎に疑似データを生成する必要が無くなるため、装置全体の記録動作速度を向上するという効果も得られる。
【００２９】
以上、記録動作の際にダミーデータの記録を行うことにより、記録開始直後の記録特性劣化が低温でも発生しないという効果が得られる。
【００３０】
（実施例２）
図６に本発明第２の実施例のフローチャートを示している。また、図７にはダミーライトトラックを説明する図を示している。磁気ディスク装置の装置構成については第１の実施例と共通する部分が多いため、図２の番号を用いて説明する。磁気ディスク装置１００が上位装置２００より書込み命令を受領した後、１つまたは複数設けられたダミーライトトラック１１８にシークする。ダミーライトトラックの本数は、原理的には一本でも構わないが、シーク時の冷却を極力防ぐため、複数設けるのが望ましい。
【００３１】
図７では、ダミーライトトラックを、一定の半径の間隔で複数設けた例を示す。ダミーライトトラック１１８へのシークが完了したあと、擬似データを記録する。擬似データの大きさは、前記第１の実施例と同様に、擬似データ書き込みによるヘッド１２１の昇温によりヘッド素子が膨張して書き込み能力が回復するのに必要な時間と相対速度によって決定する。擬似データの記録が完了したあと、データを書き込むトラック１１１にシークして、新規データを書き込む。新規データをすべて書き込んだ後、書き込み終了情報を上位装置２００に送信し、書き込み動作を終了する。
【００３２】
本実施例の磁気記録装置は、図２に示すように、計時手段を備えている。記録電流を十分流した直後はヘッドの温度が高いが、記録動作が長時間行われないとヘッドが冷却され、ヘッド素子が収縮する。これは装置の設置場所の温度が非常に低い場合は顕著に起こりうる。そこで、計時手段１５２を備え、前回の書き込み動作終了時からの時間を計測し、ある時間以上書き込み動作のないときは、上記の擬似データ記録手順を行う。疑似データ記録を行うか否かのための判定の閾値は任意に設定して良い。このように計時手段を備えることにより、毎回の記録動作毎に疑似データを生成する必要が無くなるため、装置全体の記録動作速度を向上することができる。上記温度計測手段と計時手段の併用も可能であり、例えば、判定の閾値を温度領域に応じて変えることにより、よりきめ細かな動作制御が可能となる。
【００３３】
【発明の効果】
以上詳述したように、低温環境下において一定期間以上書き込み命令がなかった場合、記録命令を受領した後、データを書き込む前に擬似データ書き込み動作によって記録電流を流して磁気ヘッドの温度を上昇することにより、低温環境時の記録性能が改善される。
【００３４】
さらに、本発明は、第１の実施例において既存データを格納するメモリ領域、第２の実施例においてダミーライトトラックを備えることによって実現が可能であり、磁気ヘッド、ディスク、およびその他の磁気ディスク装置の構成に大きな変更を加える必要がない。したがって本発明により、カーナビゲーションシステム等、低温での安定動作が要求される磁気ディスク装置を安価に提供することが可能となった。
【図面の簡単な説明】
【図１】本発明第１の実施例を説明するフローチャート。
【図２】本発明第１の実施例の磁気記録装置の構成図。
【図３】磁気ディスク上の記録トラック、データ領域、サーボ領域を説明するための模式図。
【図４】本発明第１の実施例における、トラック上の疑似データ記録領域を説明するための模式図
【図５】環境温度０℃におけるオーバーライト特性の記録時間依存性を示す特性図。
【図６】本発明第２の実施例を説明するフローチャート。
【図７】本発明第２の実施例における、ディスク上のダミーライトトラックを説明するための模式図。
【符号の説明】
１１…磁気ディスク、１００…磁気ディスク装置、１１１…記録トラック、１１２…データ領域、１１３…サーボ領域、１１４…セクタ、１１５…擬似データ記録領域、１１６…擬似データ記録領域内の既存のデータ、１１７…記録データ、１１８…ダミーライトトラック、１２１…磁気ヘッド、１２２…ヘッドスライダ、１２３…アーム、１３１…スピンドルモータ（ＳＰＭ）、１３２…ＳＰＭドライバ、１３３…ボイスコイルモータ（ＶＣＭ）、１３４…ＶＣＭドライバ、１４１…ＣＰＵ、１４２…ヘッドアンプ、１４３…Ｒ／Ｗ回路、１４４…ハードディスクコントローラ（ＨＤＣ）、１４５…サーボ信号処理回路、１４６…第１のメモリ、１４７…第２のメモリ、１５１…環境温度計測手段、１５２…計時手段、１６１…接続端子。
【図１】
2004110918.tif 000003
【図２】
2004110918.tif 000004
【図３】
2004110918.tif 000005
【図４】
2004110918.tif 000006
【図５】
2004110918.tif 000007
【図６】
2004110918.tif 000008
【図７】
2004110918.tif 000009